(57)【要約】【課題】縦仕切カバーの内部にも断熱性の高い断熱材の充填を可能にした冷蔵庫を提供する。【解決手段】前面の左右に並んで開口を有する左右の貯蔵室を備えた冷蔵庫本体と、前記貯蔵室の上部に配し、内部に空洞を形成した第１仕切部と、前記貯蔵室の下部に配し、内部に空洞を形成した第２仕切部と、前記貯蔵室を左右に仕切り、前後に分割可能な部材で空洞を形成した縦仕切部と、前記縦仕切部の空洞と前記第１および第２仕切部の少なくとも一方の空洞を連通状態に形成し、該空洞内に充填した断熱性の発泡材と、を備えた。【選択図】図４
2019032160.tif 000002
【特許請求の範囲】
【請求項１】
前面の左右に並んで開口を有する左右の貯蔵室を備えた冷蔵庫本体と、
前記貯蔵室の上部又は下部に配され、内部に横方向の横空洞を形成した横仕切部と、
前記貯蔵室を左右に仕切り、内部に形成された縦空洞と前記横空洞を連通状態にした縦仕切部と、
前記横空洞及び前記縦空洞の少なくとも一方の空洞において前後に延びる固定部材と、
前記横空洞及び前記縦空洞内に充填された断熱性の発泡材と、
を備えた冷蔵庫。
【請求項２】
前記横仕切部は、前記貯蔵室の上部に配された上横仕切部と、前記貯蔵室の下部に配された下横仕切部から成る請求項１記載の冷蔵庫。
【請求項３】
前記横空洞及び前記縦空洞は、各々２つの仕切カバーを係合することにより構成されてなる構造を有する請求項１または２記載の冷蔵庫。
【請求項４】
前記固定部材は、前記縦空洞と前記横空洞の直交した前記連通状態にされた部分を避けて設けられた請求項３に記載の冷蔵庫。
【請求項５】
前記縦空洞は、２つの前記仕切カバーを係合孔とこの孔に係合する係合爪により合体することにより形成された、請求項３記載の冷蔵庫。
【請求項６】
前記横仕切部および前記縦仕切部の少なくとも一つの内部に長手方向の膨らみを防止する拡がり抑制部材を備えた、請求項１乃至５のいずれか一項記載の冷蔵庫。
【発明の詳細な説明】
【技術分野】
【０００１】
この発明の実施形態は、冷蔵庫に関する。
【背景技術】
【０００２】
従来、冷蔵庫の独立した製氷室と隣り合う冷却室を縦方向に仕切る縦仕切部の断熱には、断熱性がやや落ちる発泡スチロールやソフトテープ類の部材が使用されていた。それは射出樹脂成型品である縦仕切部が、独立した構造であったり、上下分割式の構造であったりしていたことから、断熱効果の高いウレタン発泡材を流せない構造となっていた。
【０００３】
このため、縦仕切部には断熱効果の大きいウレタン等の発泡材の使用ができず、樹脂部品を別部材にしたり、他の部材を使用することになり、断熱効果が悪い上にコスト増となったり、部品点数が増えたりしてしまう、という課題があった。
【先行技術文献】
【特許文献】
【０００４】
【特許文献１】特開２００１−０６６０４９号公報
【発明の概要】
【発明が解決しようとする課題】
【０００５】
この発明が解決しようとする課題は、縦仕切カバーの内部にも断熱性の高い断熱材の充填を可能にした冷蔵庫を提供することである。
【課題を解決するための手段】
【０００６】
実施形態の冷蔵庫は、前面の左右に並んで開口を有する左右の貯蔵室を備えた冷蔵庫本体と、前記貯蔵室の上部又は下部に配され、内部に横方向の横空洞を形成した横仕切部と、前記貯蔵室を左右に仕切り、内部に形成された縦空洞と前記横空洞を連通状態にした縦仕切部と、前記横空洞及び前記縦空洞の少なくとも一方の空洞において前後に延びる固定部材と、前記横空洞及び前記縦空洞内に充填された断熱性の発泡材と、を備えた。
【図面の簡単な説明】
【０００７】
【図１】第１実施形態にかかる冷蔵庫の正面図である。
【図２】図１の一部扉を開放状態での冷蔵庫の正面図である。
【図３】図１の扉を外した状態の正面図である。
【図４】図３要部を拡大して示す斜視図である。
【図５】図３要部を拡大して示す斜視図である。
【図６】図５を合体させた状態の要部切斜視図である。
【図７】図６のＩａ−Ｉｂ線に沿った断面図である。
【図８】図６のIIａ−IIｂ線に沿った断面図である。
【図９】第２実施形態にかかる冷蔵庫の断面図である。
【発明を実施するための形態】
【０００８】
以下、この発明を実施するための形態について、図面を参照しながら詳細に説明する。なお、以下で説明する図面で、同一機能を有するものは同一符号を付け、その繰り返す説明は省略する。
【０００９】
（第１の実施形態）
図１は、第１の実施形態にかかる冷蔵庫全体の構成を概略的に示す正面図である。図２は、冷蔵庫の一部扉を開放状態の正面図である。図３は、冷蔵庫の扉および棚を外した状態の正面図である。
【００１０】
冷蔵庫１１は、図１および図２に示すように、縦長箱状の冷蔵庫本体１２の内部に、上部から順に、食材を貯蔵するための貯蔵室である冷蔵室１３、製氷室１４、上部冷凍室１５および下部冷凍室１６、および野菜室１７が設けられている。各室１３〜１７は前面が開口している。冷蔵室１３の開口は、いわゆる両開き式の左扉１３ａおよび右扉１３ｂによって開閉される。左扉１３ａは左端部の上下部が図２に示すヒンジ１２ａによって回転可能に支持され、右扉１３ｂは右端部の上下部がヒンジ１２ｂによって回動可能に支持されている。この場合、右扉１３ｂの長さは、左扉１３ａの長さより長く形成されている。
【００１１】
また、製氷室１４、上部冷凍室１５、下部冷凍室１６および野菜室１７は、引き出し式の扉１４ａ，１５ａ，１６ａおよび扉１７ａによって開閉されるようになっている。
なお、製氷室１４と上部冷凍室１５は左右方向に並べて配置されており、それぞれに独立した扉１４ａと１５ａによって開閉されるが、室内が完全に独立しているわけではなく、製氷室１４と上部冷凍室１５との間では冷気が自由に行き来できる構成としている。
冷蔵室１３の内面には、冷蔵用送風ファンが駆動されると、冷蔵用冷却器により生成された冷気が送風ダクトを通して複数の吹出口９から冷蔵室１３内に供給される。冷蔵用冷却器により生成された冷気は、野菜室１７にも供給される。製氷室１４、上部冷凍室１５および下部冷凍室１６には、冷凍用冷却器により生成された冷気が送風ダクトを通して供給される。
【００１２】
冷蔵室１３の左扉１３ａには、図２に示すように、複数段のドアポケット１８ａが設けられている。右扉１３ｂには、複数段のドアポケット１８ｂが設けられている。また、冷蔵室１３内には、例えばガラス等の透明性材料で形成されている複数段の棚板２１が設けられている。さらに、最下段には、例えば卵室やチルド室のような特定目的室２２が配置されている。
左扉１３ａの表面には、操作パネル１９が設けられている。この操作パネル１９には、パネル表示器２０が設けられている。このパネル表示器２０の表面には、タッチ入力部からなる操作スイッチ群が形成されている。この操作スイッチ群には、冷蔵室温度設定スイッチやヒータ強弱設定スイッチが含まれる。
また、左扉１３ａには、図２に示すように、回動式の非金属材料例えば合成樹脂製の扉縦仕切体２３が設けられている。扉縦仕切体２３は、左扉１３ａと右扉１３ｂを閉じた時に、右扉１３ｂとの隙間を埋めるためのものである。
図３に示すように、冷蔵庫本体１２の外箱１２１と内箱１２２との間には、図示しない空洞が形成されている。この空洞には、ウレタンを注入して発泡させた発泡ウレタンが充填されている。発泡ウレタンは、高い断熱性により冷蔵庫１１内と外気との断熱を図ることができる。
【００１３】
冷蔵室１３と製氷室１４、上部冷凍室１５の間には、これらの横方向を仕切る第１上部仕切部としての上部仕切部３１が配置されている。製氷室１４、上部冷凍室１５と下部冷凍室１６の間には、これらの横方向を仕切る第２仕切部としての中部仕切部３２が配置されている。下部冷凍室１６と野菜室１７の間には、これらの横方向を仕切る下部仕切部３３が配置されている。さらに、製氷室１４と上部冷凍室１５の間には、これらの縦方向を仕切る縦仕切部３４が配置されている。
【００１４】
図４は、図３の上部仕切部３１を拡大して示す分解斜視図である。図４に示すように、上部仕切部３１は、断面がコ字状の前仕切カバー３１ａと後仕切カバー３１ｂを合体し構成されている。内底面が対向する状態で合体させた前仕切カバー３１ａと後仕切カバー３１ｂの間には、空洞３１ｃが形成される。
【００１５】
図５は、図３要部を拡大して示す分解斜視図である。図５に示すように、中部仕切部３２は、断面がコ字状の前仕切カバー３２ａと後仕切カバー３２ｂを合体し構成されている。内底面が対向する状態で合体させた前仕切カバー３２ａと後下仕切カバー３２ｂの間には、空洞３２ｃが形成されている。
【００１６】
図５に示すように、縦仕切部３４は、断面がコ字状の前仕切カバー３４ａと後仕切カバー３４ｂを合体し構成されている。内底面が対向する状態で合体させた前仕切カバー３４ａと後仕切カバー３４ｂの間には、空洞３４ｃが形成される。縦仕切部３４は、上部仕切部３１と中部仕切部３２との間に配置され、製氷室１４、上部冷凍室１５を縦方向に仕切る一部として構成されている。
【００１７】
図４に示すように、上部仕切部３１の前仕切カバー３１ａには、長手方向の上下外側面に係合鍔３１ａ１が一体形成されている。前仕切カバー３１ａには、長手方向の上下の複数個所に弾性の係合孔３１ａ２が一体的に形成されている。
【００１８】
上部仕切部３１の後仕切カバー３１ｂの長手方向開口部３１１付近の上下側面には、係合鍔３１ａ１が係合可能な複数の係合溝３１ｂ１が一体的に形成されている。後仕切カバー３１ｂの係合溝３１ｂ１の間には、係合孔３１ａ２が係合可能な係合爪３１ｂ２が一体的に形成されている。
【００１９】
図５に示すように、中部仕切部３２の前仕切カバー３２ａには、長手方向の上下に係合鍔３２ａ１が一体形成されている。前仕切カバー３２ａには、長手方向の上下の複数個所に弾性の係合孔３２ａ２が一体的に形成されている。
【００２０】
中部仕切部３２の後仕切カバー３２ｂの長手方向開口部３２１付近の上下外側面には、係合鍔３２ａ１が係合可能な複数の係合溝３２ｂ１が一体的に形成されている。後仕切カバー３２ｂの係合溝３２ｂ１の間には、係合孔３２ａ２が係合可能な係合爪３２ｂ２が一体的に形成されている。
【００２１】
縦仕切部３４の前仕切カバー３４ａには、長手方向の上下に係合鍔３４ａ１が一体形成されている。前仕切カバー３４ａには、長手方向の上下の複数個所に弾性の係合孔３４ａ２が一体的に形成されている。
【００２２】
縦仕切部３４の後仕切カバー３４ｂの長手方向開口部３４１付近の左右外側面には、係合鍔３４ａ１が係合可能な複数の係合溝３４ｂ１が一体的に形成されている。後仕切カバー３４ｂの係合溝３４ｂ１の間には、係合孔３４ａ２が係合可能な係合爪３４ｂ２が一体的に形成されている。
【００２３】
図示しないが、下部仕切部３３には、前仕切カバーと後仕切カバーの成形品を合体させて構成されている。前仕切カバーと後仕切カバーの間には、空洞が形成されている。また、下部仕切部３３の前仕切カバーには、係合鍔と係合孔が一体的に形成されている。下部仕切部３３の後仕切カバーには、係合溝と係合爪が一体的に形成されている。
【００２４】
図示しないが、上部仕切部３１、中部仕切部３２、縦仕切部３４の前面には、化粧パネルが取着されている。
【００２５】
図６は、図５の中部仕切部３２の前仕切カバー３２ａと後仕切カバー３２ｂおよび縦仕切部３４の前仕切カバー３４ａと後仕切カバー３４ｂを合体させた状態の要部切欠斜視図を示す。図７は、図６のＩａ−Ｉｂ線に沿った中部仕切部３２の断面図を示す。
【００２６】
図６および図７において、前仕切カバー３２ａの係合鍔３２ａ１は、後仕切カバー３２ｂの係合溝３２ｂ１と嵌合する。このときに、前仕切カバー３２ａの係合孔３２ａ２は、後仕切カバー３２ｂの係合爪３２ｂ２を、弾性に抗して乗り越える。乗り越えた後の係合爪３２ｂ２と係合孔３２ａ２は嵌合する。これにより、前仕切カバー３２ａと後仕切カバー３２ｂは合体され、中部仕切部３２を構成する。
【００２７】
合体後の前仕切カバー３２ａと後仕切カバー３２ｂは、後仕切カバー３２ｂ内に一体的に形成された取付用ダボ３２ｄに前仕切カバー３２ａを介してネジ３２ｅを用いて確実に取着する。
【００２８】
図８は、縦仕切部３４の図６のIIａ−IIｂ線に沿った断面図を示す。
【００２９】
図６および図８において、前仕切カバー３４ａの係合鍔３４ａ１は、後仕切カバー３４ｂの係合溝３４ｂ１と嵌合する。このときに、前仕切カバー３４ａの係合孔３４ａ２は、後仕切カバー３４ｂの係合爪３４ｂ２を、弾性に抗して乗り越える。乗り越えた後の係合爪３４ｂ２と係合孔３４ａ２は嵌合する。これにより、前仕切カバー３４ａと後仕切カバー３４ｂは合体され、縦仕切部３４を構成する。
【００３０】
合体後の前仕切カバー３４ａと後仕切カバー３４ｂは、後仕切カバー３４ｂ内に一体的に形成された取付用ダボ３４ｄに前仕切カバー３４ａを介してネジ３４ｅを用いて確実に取着する。
【００３１】
なお、図４に示す上部仕切部３１の前仕切カバー３１ａと後仕切カバー３１ｂについても同様に合体する。前仕切カバー３１ａの係合鍔３４ａ１を、後仕切カバー３４ｂの係合溝３４ｂ１に嵌合する。前仕切カバー３１ａの係合孔３１ａ２を、後仕切カバー３４ｂの係合爪３４ｂ２に嵌合する。これにより、前仕切カバー３１ａと後仕切カバー３１ｂは合体し、上部仕切部３１を構成する。合体後の前仕切カバー３１ａと後仕切カバー３１ｂは、後仕切カバー３１ｂ内に一体的に形成された取付用ダボ３１ｄに前仕切カバー３１ａを介してネジ３１ｅを用いて確実に取着する。
【００３２】
仕切部３１，３２，３４の空洞３１ｃ，３２ｃ，３４ｃ、それに下部仕切部３３の空洞には、外箱１２１と内箱１２２に形成された空洞と連通されている。図７および図８に示すように、これら空洞には、ウレタンを注入して発泡させた発泡ウレタンＰＵが充填されている。発泡ウレタンＰＵは、高い断熱性により各仕切部３１〜３４間の断熱を図ることができる。
【００３３】
各仕切部３１〜３４の各空洞は、外箱１２１と内箱１２２に形成された空洞と連通されている。各仕切部３１〜３４の発泡ウレタン充填による断熱構造は、外箱１２１と内箱１２２の空洞の発泡ウレタン充填による断熱構造と同作業工程により形成される。なお、図６の切欠斜視図での発泡ウレタン充填の図示の状態は省略してある。
【００３４】
このように、縦仕切部３４は、前仕切カバー３４ａと後仕切カバー３４ｂを前後に分離した状態で形成し、前仕切カバー３４ａと後仕切カバー３４ｂを合体して構成するようにした。縦仕切部３４の空洞３４ｃは、上部仕切部３１の空洞３１ｃや中部仕切部３２の空洞３２ｃと連結した状態に形成することができる。これにより、空洞３４ｃには、空洞３１ｃ，３２ｃ等と同じ作業工程で、ウレタンの注入が可能となる。
【００３５】
この実施形態では、製氷室と隣り合う冷凍室を仕切る縦仕切部にも断熱効果の高いウレタン発泡材を充填することができるようにした。これによりウレタン発泡材による断熱効果の向上により、省エネ効果を向上させることが可能となる。
【００３６】
（第２の実施形態）
図９は、第２の実施形態にかかる冷蔵庫について説明するための断面図である。この実施形態は、発泡ウレタン充填時に各仕切部の膨らみを防止するものである。
【００３７】
すなわち、中部仕切部３２の前仕切カバー３２ａ長手方向の内面の上部と底部には、切欠部９１が形成された複数のリブ９２が一体的に形成されている。後仕切カバー３２ｂ長手方向の内面の下部と底部には、切欠部９３が形成された複数のリブ９４が一体的に形成されている。切欠部９１と９３には、断面コ字状で長尺の拡がり抑制部材９５の対向する係止部９５１，９５２が係合されている。
【００３８】
拡がり抑制部材９５の係止部９５１，９５２が切欠部９１，９３に係止された場合は、拡がり抑制部材９５の作用により、前仕切カバー３２ａと後仕切カバー３２ｂの間隔は広がらなくなる。この状態でウレタンを注入し、発泡させた場合は、ウレタンの発泡があっても拡がり抑制部材９５の作用により、前仕切カバー３２ａと後仕切カバー３２ｂの膨らみを抑えることができる。
【００３９】
この実施形態では、ウレタンが注入される空洞を形成する仕切部が発泡時に膨らむことを防止することができる。これにより、仕切部の膨張による扉の開閉や膨らむことによる商品性の低下を防ぐことが可能となる。
【００４０】
なお、この実施形態では、中部仕切部３２を例に挙げた。上部仕切部３１、下部仕切部３３、縦仕切部３４にも同手段を適用することにより、冷蔵庫全体の仕切部の膨らみによる弊害を抑えることができる。
【００４１】
図９に示す前仕切カバー３２ａと拡がり抑制部材９５は、間隔が開いた状態にある。係止部９５１，９５２を切欠部９１，９３に係止した状態では、前仕切カバー３２ａと拡がり抑制部材９５の間隔を持たない位置関係とする。この場合は、拡がり抑制部材９５が切欠部９１，９３から外れることを防止することができる。
【００４２】
また、前仕切カバー３２ａと拡がり抑制部材９５の間隔が図９の状態の場合は、前仕切カバー３２ａあるいは拡がり抑制部材９５の一部が相手方に当接する形状とする。この場合は、拡がり抑制部材９５が切欠部９１，９３から外れることを防止することができる。
【００４３】
（第３の実施形態）
この実施形態は、上部仕切部３１、中部仕切部３２、縦仕切部３４を前後に分割した前仕切カバーと後仕切カバーをそれぞれ一体的にＨ形状に形成した。前仕切カバーと後仕切カバーを合体すると、上部仕切部３１、中部仕切部３２、縦仕切部３４の各空洞は連通状態となる。この連通の空洞を通してウレタンを注入し発泡させることで断熱構造を実現する。
【００４４】
この実施形態では、上部仕切部、中部仕切部、縦仕切部の前仕切カバーと後仕切カバーは一体的に形成した。これにより、上部仕切部、中部仕切部、縦仕切部を構成する部品点数の削減に加え、これらを形成するための作業時間の削減も可能となる。
【００４５】
なお、中部仕切部３２と縦仕切部３４を前後に分割した前仕切カバーと後仕切カバーとをそれぞれ一体的にＴ形状に形成する、あるいは、上部仕切部３１と縦仕切部３４を前後に分割した前仕切カバーと後仕切カバーとをそれぞれ一体的にＴ形状に形成してもよい。
【００４６】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００４７】
１１  冷蔵庫
１２  冷蔵庫本体
１２１  外箱
１２２  内箱
３１  上部仕切部
３２  中部仕切部
３３  下部仕切部
３４  縦仕切部
３１ａ，３２ａ，３４ａ  前仕切カバー
３１ｂ，３２ｂ，３４ｂ  後仕切カバー
３１ｃ，３２ｃ，３４ｃ  空洞
３１ａ１，３２ａ１，３４ａ１  係合鍔
３１ａ２，３２ａ２，３４ａ２  係合孔
３１ｂ１，３２ｂ１，３４ｂ１  係合溝
３１ｂ２，３２ｂ２，３４ｂ２  係合爪
ＰＵ  発泡ウレタン
９１，９３  切欠部
９２，９４  リブ
９５  拡がり抑制部材
９５１，９５２  係止部
【図１】
2019032160.tif 000003
【図２】
2019032160.tif 000004
【図３】
2019032160.tif 000005
【図４】
2019032160.tif 000006
【図５】
2019032160.tif 000007
【図６】
2019032160.tif 000008
【図７】
2019032160.tif 000009
【図８】
2019032160.tif 000010
【図９】
2019032160.tif 000011